(57)【要約】【課題】電気掃除機運転時の本体外郭の温度上昇を低減すること。【解決手段】前方に塵埃を蓄積する集塵室４１、後方に電動送風機５２を内蔵する駆動室４９と電動送風機５２から排出される排気の大部分を機外に排出するための排気口６６を設けた掃除機本体３７と、駆動室４９内に配置されて電動送風機５２を包着するモーターカバー５５、５６と、集塵室３１に連通する吸込具を有する電気掃除機において、前記モーターカバー５５、５６には電動送風機５２の排気の大部分を前記排気口６６に案内する送風路６３を形成した。これにより、電動送風機５２を通過して高温となった排気は、モーターカバーの送風路６３を経由して排気口６６から掃除機本体３７外に排出され、駆動室４９内の室温および掃除機本体３７外郭の温度上昇は排気口６６周辺を除いてわずかとなり、使用中に掃除機本体３７外郭に触れても熱さを感じなくなるものである。【選択図】図２
2006218149.tif 000002
【特許請求の範囲】
【請求項１】
前方に塵埃を蓄積する集塵室を、後方に電動送風機を内蔵する駆動室と前記電動送風機から排出される排気の大部分を機外に排出するための排気口とを設けた掃除機本体と、前記駆動室内に配置されて前記電動送風機を包着するモーターカバーと、前記集塵室に連通する吸込具とを備え、前記モーターカバーには前記電動送風機の排気の大部分を前記排気口に案内する送風路を形成してなる電気掃除機。
【請求項２】
モーターカバーを、電動送風機を左右または上下で狭持する２部品で構成してなる請求項１記載の電気掃除機。
【請求項３】
送風路を、モーターカバーに一体に形成してなる請求項１または２記載の電気掃除機。
【請求項４】
送風路をブロー成形で形成し、前記送風路を、モーターカバーに取着してなる請求項１または２記載の電気掃除機。
【請求項５】
排気口の掃除機本体内側に、駆動室と区画する隔壁を形成し、前記隔壁は、送風路の外郭と嵌合して排気室を形成してなる請求項１記載の電気掃除機。
【請求項６】
送風路の内面に、吸音材を貼付してなる請求項１〜４のいずれか１項記載の電気掃除機。
【請求項７】
電動送風機の送風ファンを覆うファンケースの外周面に通気口を形成し、前記通気口を通じて排出される排気の少なくとも一部を、本体内に駆動室と区画して形成されコードを巻き取るためのコードリールを収容するコードリール室に導いてなる請求項１〜６のいずれか１項記載の電気掃除機。
【請求項８】
通気口を通じて排出される排気の少なくとも一部を、コードリールの中央部を経由してコードリール室内に排出させてなる請求項７記載の電気掃除機。
【発明の詳細な説明】
【技術分野】
【０００１】
本発明は、一般家庭において使用する電気掃除機に関するものである。
【背景技術】
【０００２】
従来の構成を図５で説明する。掃除機本体１３に内蔵される電動送風機２２は、電動送風機２２の発生する運転音を遮音するとともに、掃除機本体１３への電動送風機２２の振動伝播を抑える目的で、上下２分割の上モーターカバー２８と下モーターカバー２９で抱着されていた。そして電動送風機２２の運転で吸引された吸気は、電動送風機２２の内部を通過後、上モーターカバー２８と下モーターカバー２９内に排出され、続いて下モーターカバー２９に形成された排出口を経由して掃除機本体１３内に流入し、最後に掃除機本体１３の後面に形成されたリヤカバー２１より機外に排出されていた（例えば、特許文献１参照）。
【０００３】
また図６において、掃除機本体内に流入した排気の一部は、モーター２２（電動送風機）に給電するコード２４を巻き取るためのコードリール２３を収容するコードリール室２８に導かれ、電力供給に伴って自己発熱するコード２４の空気冷却に利用されるものがあった（例えば、特許文献２参照）。
【特許文献１】特開２００４−１５４２１３号公報
【特許文献２】特開平７−５１１９０号公報
【発明の開示】
【発明が解決しようとする課題】
【０００４】
しかしながら、上記従来構成の上モーターカバー２８と下モーターカバー２９は、電動送風機２２の外周を覆うだけであり、電動送風機２２から排出される排気の全量が掃除機本体１３内に充満し、その後掃除機本体１３の排気口であるリヤカバー２１から排出される状況となる。ところで集塵室１１内の紙袋１０に蓄積する塵埃量が増すに従い電動送風機２２を通過する排気量は減少するが、電動送風機２２の巻線温度は前記排気流で冷却される構成のため、通過する排気量が減少するに従い、次第に温度上昇値が増大する。同時に排気の温度も排気量の減少に伴って上昇し、紙袋１０内の塵埃が満杯近くとなって排気量が初期の半分近くになると、掃除機本体１３内の排気温度も非常に高くなり、この高温の排気にさらされて掃除機本体１３の外郭を手で触れると熱く感じてしまうという課題があった。特に消費電力１０００Ｗの掃除機では顕著であった。
【０００５】
また、上記のように高温になった排気をコードリール室２８に導入し、コード２４を冷却するため、塵埃量が満杯近くとなって吸気量が半減近くになった状態では冷却効果が低下し、この状態で必要な冷却をさせるために必要な冷却流導入面積を設定すると、塵埃がない初期状態などでは大量の排気がコードリール室２８に流入し、それがコード出口２５から勢いよく排出されて使い勝手の悪いものとなる課題があった。
【０００６】
本発明は上記課題を解決するもので、吸引した塵埃量が満杯近くになった時に掃除機本体の外郭に触れても、不安に感じる熱さを感じさせないと共に、効率のよいコード冷却を行ってコード出口からの排気量を気にせずにすむ使用性を確保した、使い勝手のよい電気掃除機を提供することを目的とする。
【課題を解決するための手段】
【０００７】
上記従来の課題を解決するために本発明は、電動送風機を内蔵する駆動室と電動送風機から排出される排気の大部分を機外に排出するための排気口を設けた掃除機本体と、駆動室内に配置されて電動送風機を包着するモーターカバーを設けた電気掃除機において、前記モーターカバーには電動送風機の排気の大部分を前記排気口部に案内する送風路を形成するものである。これにより、電動送風機を通過して高温となった排気は、モーターカバーの送風路を経由して排気口から掃除機本体外に排出される結果、駆動室内の室温および本体外郭の温度上昇は排気口周辺を除いてわずかとなり、使用中に掃除機本体外郭に触れても熱さを感じなくなるものである。
【発明の効果】
【０００８】
本発明は、吸引した塵埃量が満杯近くになった時に本体の外郭に触れても、不安に感じる熱さを感じさせないとともに、効率のよいコード冷却を行ってコード出口からの排気量を気にせずにすむ使用性を確保した電気掃除機を提供することができる。
【発明を実施するための最良の形態】
【０００９】
第１の発明は、前方に塵埃を蓄積する集塵室を、後方に電動送風機を内蔵する駆動室と前記電動送風機から排出される排気の大部分を機外に排出するための排気口とを設けた掃除機本体と、前記駆動室内に配置されて前記電動送風機を包着するモーターカバーと、前記集塵室に連通する吸込具とを備え、前記モーターカバーには前記電動送風機の排気の大部分を前記排気口に案内する送風路を形成することにより、駆動室内の気温および本体外郭の温度上昇は排気口周辺を除いてわずかとなり、使用中に掃除機本体外郭に触れても熱さを感じさせなくなるものである。
【００１０】
また、電動送風機の排気音、特に２０００Ｈｚ以上の周波数域の高周波音がキーンと耳障りに聞こえる運転音を遮音し、良好な使用性を確保することができる。
【００１１】
第２の発明は、第１の発明のモーターカバーを、左右または上下の２部品で電動送風機を狭持する構成としたことにより、送風路形状の自由度を確保し、掃除機本体内への組み立てを容易にできる。
【００１２】
第３の発明は、第１または第２の発明の送風路を、モーターカバーに一体に形成したことにより、部品価格の上昇を抑制できる。
【００１３】
第４の発明は、第１または第２の発明の送風路をブロー成形で形成し、前記送風路を、モーターカバーに取着したことにより、送風路形状に蛇行があっても、排気が流れる内面側は滑らかに形成できて流路音の発生を低減できるとともに、ブロー成形によって製造コストを抑制できる。
【００１４】
第５の発明は、第１の発明の排気口の掃除機本体内側に駆動室と区画する隔壁を形成し、この隔壁と送風路の外郭と嵌合して排気室を形成したことにより、駆動室側への排気の還流を無くし、排気室を形成する掃除機本体外郭以外の温度上昇をほぼ無くすることができる。
【００１５】
第６の発明は、第１〜第４のいずれか一つの発明の送風路の内面に、吸音材を貼付したことにより、送風路内を流れる排気流に含まれる電動送風機が発生した運転音を吸音抑制し、電気掃除機の運転音の低減を行える。
【００１６】
第７の発明は、第１〜第６のいずれか一つの発明の電動送風機の送風ファンを覆うファンケースの外周面に通気口を形成し、前記通気口を通じて排出される排気の少なくとも一部を、掃除機本体内に駆動室と区画して形成されコードを巻き取るためのコードリールを収容するコードリール室に導くことにより、電動送風機に電力を供給するコードの自己発熱を、送風ファンを通過しただけの温度上昇していない排気のみで冷却することができ、少量で効率よく冷却できるものである。
【００１７】
第８の発明は、第７の発明の通気口を通じて排出される排気の少なくとも一部を、コードリールの中央部を経由してコードリール室内に排出させることにより、コードリールに巻き残って重なっているコードの冷却も効率よく行えるものである。
【００１８】
以下、本発明の実施の形態について、図面を参照しながら説明する。なお、本実施の形態により本発明が限定されるものではない。
【００１９】
（実施の形態１）
以下に、本発明の第１の実施の形態を図を用いて説明する。図１〜図３において、電気掃除機３１は延長管３２に取り付けた塵埃を吸引する吸込具３３を有し、前記延長管３２は手元ハンドル３４とホース継ぎ手３５付きのホース３６とを介して本体３７に連結されている。本体３７は底面に枢支された１個のキャスター３８と、本体３７の後部両側面に回転自在に取り付けられた一対の後輪３９とを備え、電気掃除機３１の使用中の本体３７の移動を容易にしている。
【００２０】
図２、図３に示すように、本体３７の内部前方には紙袋４０を収容する集塵室４１が形成され、上本体４２に回動自在に軸止された上蓋４３が開閉自在に覆っている。集塵室４１前方部には紙袋４０に固着した厚紙製の支持板４４に密着した吸気口弁４５を狭持して前蓋４６が取り付けられている。前蓋４６の略中央部には吸気口４７が集塵室４１に連通して一体に形成され、ホース継ぎ手３５を着脱自在に接続保持する。
【００２１】
集塵室４１の後方には前隔壁４８にて集塵室４１と前後に区画された駆動室４９、コードリール室５０が並列に形成されている。駆動室４９とコードリール室５０は後輪３９を取り付けた下本体５１と上本体４２とで外郭を構成されている。
【００２２】
電動送風機５２は前後を緩衝材Ａ５３、緩衝材Ｂ５４を介してモーターカバーＡ５５、モーターカバーＢ５６で左右より狭持されている。またモーターカバーＡ５５、モーターカバーＢ５６は支持ゴム５７を介し下本体５１に保持されている。電動送風機５２のファンを覆っているファンケース５８の外周面には複数の通気口５９が開口していて、ファンで吸引される排気の一部を緩衝材Ａ５３、電動送風機５２と、モーターカバーＡ５５およびモーターカバーＢ５６内部の分離壁６０で構成されるファン室６１に排出する。
【００２３】
モーターカバーＡ５５、モーターカバーＢ５７の分離壁６０前方はファンケース５８を囲い、分離壁６０後方には、電動送風機５２を囲ったモーター室６２と、モーター室６２の下側の送風路６３の２室が形成されている。送風路６３は下本体５１の底面に沿って後方に伸び、上本体４２と下本体５１の隔壁６４と嵌合して形成される排気室６５に開口している。６６は上本体４２の後面に複数個形成された排気口で排気フィルター６７を通過する電動送風機５２の排気を本体３７外に排出する。送風路６３内面には吸音パッキン６８が貼り付けられている。
【００２４】
６９はコードリールでリールＡ７０とリールＢ７１とを結合して構成され、上本体４２と下本体５１で略垂直状態で狭持された保持板７２と下本体５１で支持されるリール軸７３を回転軸としてコードリール室５０内でコード７４を巻き取り収容している。リールＡ７０とリールＢ７１にはそれぞれ通気口Ａ７５、通気口Ｂ７６が形成されていて、保持板７２の排気孔７７と連通している。７７は排気孔７７とファン室６１とを連通する通気パイプ、７８は電動送風機５２の上方に配置された電動送風機５２の動作を制御する制御装置である。
【００２５】
次に、上記構成による動作、作用について説明する。
【００２６】
電動送風機５２を運転状態にすると、吸込具３３から吸塵される含塵気流は、延長管３２、ホース３６、吸気口４７を経由して紙袋４０内に流入し、塵埃だけが紙袋４０で捕集され、清浄化された気流は集塵室４１から電動送風機５２に吸引される。電動送風機５２を通過した気流の大部分は、モーター室６２、送風路６３を経路として排気室６５内に流れ、上本体４２の後面に形成した排気口６６より本体３７外に排出される。（図２、図３の矢印（イ）で示す経路）この状態では、紙袋４０内に満杯近くの塵埃が堆積して電動送風機５２が吸引する風量が低下し、電動送風機５２の発熱した巻線によって排気は温度上昇する。しかしながらこの温度上昇した排気はモーターカバーＡ５５、同Ｂ５６で覆われて駆動室４９とは遮断されているとともに隔壁６４と送風路６３の嵌合組み合わせで排気室６５とも遮断状態となり、駆動室４９内の気温の上昇はごくわずかとなり、したがって本体３７の外郭温度も排気室６５を形成する一部を除いて熱くなることがない。
【００２７】
また、本体３７内の排気が流れる部分は送風路６３で覆われているため、排気に含まれる電動送風機５２の運転音や送風路６３を流れる気流音が送風路６３と本体３７の２重構造で遮音される結果、電気掃除機３１の騒音が低下する。特にキーンと耳障りに聞こえる高周波音が低減し、使用中の不快感がなくなる。
【００２８】
さらに、上記送風路６３は、左右２分割構成のモーターカバーＡ５５、同Ｂ５６で一体に形成しているため、部品単価の上昇もなく形成できるとともに、送風路６３形状を本体３７形状との組み合わせに応じた形状とでき、本体３７内への組み立てを容易に行えることとなる。
【００２９】
加えて、送風路６３内に吸音パッキン６８を貼り付けていることによって、送風路６３内を通過する排気に含まれる音をより一層減衰し、運転音の低減が行えるものである。
【００３０】
一方ファンケース５８の通気口５９より排出される一部の排気は、ファン室６１、通気パイプ７８、排気孔７７、通気口Ｂ７６、通気口Ａ７５を経路（図２、図３の矢印（ロ）で示す経路）としてコードリール室５０に流入し、コード出口７９から本体３７外に排出される。この排気はファンケース５８より排出される排気のため、集塵室４１内を通過する気流とほぼ同温度の低温であるため、コード７４の冷却を効率よく行え、またコードリール６９の内側から排気をコードリール室５０内に排出するため、より一層効率よく冷却が行えるものである。そして冷却効率を高くできるために逆に風量は小さく抑えることができ、コード出口７９から出る風速も小さくでき、使用性を向上できるものである。
【００３１】
（実施の形態２）
以下に、本発明の第２の実施の形態を図４を用いて説明する。なお、上記実施の形態１と同一部分については同一符号を付してその説明を省略する。
【００３２】
モーターカバーＡ５５とモーターカバーＢ５６は上下２分割構成で電動送風機５２を狭持している。モーターカバーＢ５６の底面には排出口８０が形成されている。８１は上本体４２後面に形成された排気口６６と前記排出口８０を気密に連通する送風路で、ブロー成形によって形成されている。
【００３３】
上記構成によって電動送風機５２を運転状態にすると、電動送風機５２を通過した排気は、モーター室６２、排出口８０、送風路８１、排気フィルター６７、排気口６６を経由して本体３７外に排出される。ところで送風路８１はブロー成形で形成されているため内面が滑らかに構成され、従って排気が流れる際に内面で気流が乱れることが起こらず、流路音の発生を低減できる。また、排出口８０と排気口６６を気密につなげるため本体３７の外郭温度が高くなる部分を排気口６６部だけの最小範囲とすることができる。
【産業上の利用可能性】
【００３４】
以上のように、本発明にかかる電気掃除機は、本体外郭の温度上昇を感じさせないものとして使用性を著しく向上でき、家庭用、業務用等の用途に、また床移動型だけでなく、縦型、携帯型などの形態を問わず幅広く適用できるものである。
【図面の簡単な説明】
【００３５】
【図１】本発明の実施の形態１を示す電気掃除機の全体外観図
【図２】同電気掃除機の断面図
【図３】同電気掃除機の図２のＺ−Ｚ断面図
【図４】本発明の実施の形態２を示す電気掃除機の断面図
【図５】従来の電気掃除機の断面図
【図６】従来の他の電気掃除機の断面図
【符号の説明】
【００３６】
３３  吸込具
３７  本体
４１  集塵室
４９  駆動室
５０  コードリール室
５２  電動送風機
５５  モーターカバーＡ
５６  モーターカバーＢ
５８  ファンケース
５９  通気口
６３  送風路
６４  隔壁
６５  排気室
６６  排気口
６８  吸音パッキン（吸音材）
６９  コードリール
【図１】
2006218149.tif 000003
【図２】
2006218149.tif 000004
【図３】
2006218149.tif 000005
【図４】
2006218149.tif 000006
【図５】
2006218149.tif 000007
【図６】
2006218149.tif 000008